(57)【要約】【課題】シートがトレイに支持されているか否かにかかわらず、トレイへの異物の付着を低減する。【解決手段】複合機１０は、用紙Ｓを積層した状態で支持する支持面７４を有するバイパストレイ７１と、支持面７４上の用紙Ｓを筐体１４へ向けて給送向き８７に給送する給送ローラ７５と、給送ローラ７５によって給送される用紙Ｓのうち最上の用紙Ｓを他の用紙Ｓから分離する分離部９２を有する案内部材９７と、支持面７４の一部を覆うカバー１１０とを備える。カバー１１０は、給送ローラ７５より給送向き８７上流から分離部９２より給送向き８７下流に亘って延設され、軸７７周りにバイパストレイ７１に当接した第１位置とバイパストレイ７１から離間した第２位置とに回動可能である。カバー１１０におけるバイパストレイ７１との当接部である上流端部１１０Ａは、軸７７よりも給送向き８７上流に位置している。【選択図】図２
2020083647.tif 000002
【特許請求の範囲】
【請求項１】
シートを積層した状態で支持する支持面を有するトレイと、
上記トレイを支持し、上記支持面に支持されたシートが搬送される搬送路を有する本体と、
上記支持面に支持されたシートを上記搬送路へ向けて給送向きに給送するローラと、
上記トレイよりも上記給送向きの下流に位置しており、上記支持面に対して傾斜し且つ上記ローラによって給送されるシートと当接して案内する傾斜面を有する案内部材と、
上記傾斜面に設けられており、上記ローラによって給送されるシートのうち最上のシートを他のシートから分離する分離部と、
上記支持面の少なくとも一部を覆い、上記トレイに当接可能な当接部を有するカバーと、を備え、
上記カバーは、
上記ローラよりも上記給送向きの上流から上記分離部よりも上記給送向きの下流に亘って延設されており、
上記給送向きと交差し且つ上記支持面に沿った幅方向に延びた第１軸周りに、上記当接部が上記トレイに当接した第１位置と、上記当接部が上記トレイから離間した第２位置とに回動可能であり、
上記当接部は、上記第１軸よりも上記給送向きの上流に位置している給送装置。
【請求項２】
上記カバーを上記第１位置へ付勢する付勢部材を備える請求項１に記載の給送装置。
【請求項３】
上記幅方向に延びた第２軸周りに回動可能であり、上記第２軸から上記支持面へ向けて延びており、先端部において上記ローラを回転可能に支持するアームと、
上記第２位置の上記カバーが上記第１位置から遠ざかる向きへ上記第１軸周りに回動することを規制するストッパと、を備え、
上記カバーは、上記アームに軸支されている請求項１または２に記載の給送装置。
【請求項４】
上記幅方向に延びた第２軸周りに回動可能であり、上記第２軸から上記支持面へ向けて延びており、先端部において上記ローラを回転可能に支持するアームと、
上記アームに設けられており、上記第２位置の上記カバーが上記第１位置から遠ざかる向きへ上記第１軸周りに回動することを規制するストッパと、を備え、
上記第１軸は、上記アームよりも上記給送向きの下流に位置している請求項１または２に記載の給送装置。
【請求項５】
上記カバーは、上記当接部から上記給送向きの上流へ突出した突出部を有し、
上記突出部の上記給送向きの上流端は、上記トレイの上記給送向きの上流端よりも上記給送向きの上流に位置する請求項１から４のいずれかに記載の給送装置。
【請求項６】
上記支持面上を上記幅方向へ移動可能に上記トレイによって支持されており、上記支持面に支持されたシートの上記幅方向の両端に当接可能な一対のサイドガイドを備え、
上記分離部は、上記幅方向において上記一対のサイドガイドの間に位置しており、
上記カバーは、上記幅方向において、上記一対のサイドガイドが最も近づいた状態における上記一対のサイドガイドの間に位置する請求項１から５のいずれかに記載の給送装置。
【請求項７】
上記支持面上を上記幅方向へ移動可能に上記トレイによって支持されており、上記支持面に支持されたシートの上記幅方向の両端に当接可能な一対のサイドガイドを備え、
上記カバーは、
上記一対のサイドガイドよりも上記給送向きの下流に位置する下流部と、
上記下流部から上記給送向きの上流へ延びており、上記幅方向において上記一対のサイドガイドの間に位置する上流部と、を備え、
上記当接部は、上記上流部及び上記下流部の各々に設けられている請求項１から５のいずれかに記載の給送装置。
【請求項８】
上記支持面上を上記幅方向へ移動可能に上記トレイによって支持されており、上記支持面に支持されたシートの上記幅方向の両端に当接可能な一対のサイドガイドを備え、
上記カバーは、上記一対のサイドガイドよりも上記給送向きの下流に位置する請求項１から６のいずれかに記載の給送装置。
【請求項９】
上記当接部は、上記支持面に当接可能である請求項１から８のいずれかに記載の給送装置。
【請求項１０】
上記当接部は、上記トレイにおける上記支持面より上記給送向きの上流の部分に当接可能である請求項１から７のいずれかに記載の給送装置。
【請求項１１】
上記トレイは、上記案内部材より上方に位置しており、
上記支持面は、上記案内部材から斜め上方へ延びており、
上記カバーは、上方から上記分離部を覆っている請求項１から１０のいずれかに記載の給送装置。
【請求項１２】
上記カバーの上記給送向きの下流端部に回転可能に支持されたコロを備え、
上記コロの少なくとも一部は、上記カバーから、シートが給送される給送路へ向けて突出している請求項１から１１のいずれかに記載の給送装置。
【請求項１３】
上記案内部材の少なくとも一部の下方に、異物を収容するための収容部を備え、
上記案内部材は、上記カバーより下方に位置しており、
上記カバーの上記給送向きの下流端は、上記収容部の真上に位置している請求項１から１２のいずれかに記載の給送装置。
【請求項１４】
請求項１から１３のいずれかに記載の給送装置と、
上記搬送路を搬送されるシートに画像を記録する記録部と、を備える画像記録装置。
【発明の詳細な説明】
【技術分野】
【０００１】
本発明は、シートを給送する給送装置、及び当該給送装置を備えておりシートに画像を記録可能な画像記録装置に関する。
【背景技術】
【０００２】
従来より、シートを支持するトレイを有し、トレイに支持されたシートを画像記録装置などに給送する給送装置が知られている。このような給送装置の中には、複数枚が積層された状態のシートを支持するトレイを備えるものがある。この場合、ローラがトレイに支持されたシートのうち最上のシートと当接して、この最上のシートが目的地へ給送される。
【０００３】
上記のような給送装置では、トレイと画像記録装置との隙間から砂塵などの異物が進入して、トレイに付着するおそれがある。この対策が施された給送装置の一例が、特許文献１に開示されている。特許文献１に開示された給送装置は、回動可能なトレイカバーを備えている。シートがトレイに支持されていないとき、トレイカバーが閉じるように回動されることによって、当該隙間を介しての異物の進入が防止される。
【先行技術文献】
【特許文献】
【０００４】
【特許文献１】特開２０１６−２８９８２号公報
【発明の概要】
【発明が解決しようとする課題】
【０００５】
しかしながら、特許文献１に開示された給送装置において、シートがトレイに支持されているとき、トレイカバーが開くように回動されることによって、シートを支持する。つまり、シートがトレイに支持されているとき、トレイカバーは閉じていないため、上記隙間を介しての異物の進入を防止することができない。
【０００６】
本発明は、上記問題に鑑みてなされたものであり、その目的は、シートがトレイに支持されているか否かにかかわらず、トレイへの異物の付着を低減することができる給送装置を提供することにある。
【課題を解決するための手段】
【０００７】
(1)  本発明に係る給送装置は、シートを積層した状態で支持する支持面を有するトレイと、上記トレイを支持し、上記支持面に支持されたシートが搬送される搬送路を有する本体と、上記支持面に支持されたシートを上記搬送路へ向けて給送向きに給送するローラと、上記トレイよりも上記給送向きの下流に位置しており、上記支持面に対して傾斜し且つ上記ローラによって給送されるシートと当接して案内する傾斜面を有する案内部材と、上記傾斜面に設けられており、上記ローラによって給送されるシートのうち最上のシートを他のシートから分離する分離部と、上記支持面の少なくとも一部を覆い、上記トレイに当接可能な当接部を有するカバーと、を備える。上記カバーは、上記ローラよりも上記給送向きの上流から上記分離部よりも上記給送向きの下流に亘って延設されている。上記給送向きと交差し且つ上記支持面に沿った幅方向に延びた第１軸周りに、上記当接部が上記トレイに当接した第１位置と、上記当接部が上記トレイから離間した第２位置とに回動可能である。上記当接部は、上記第１軸よりも上記給送向きの上流に位置している。
【０００８】
本構成によれば、シートがトレイに支持されているか否かにかかわらず、トレイが第１位置へ向けて回動されることによって、異物の支持面や傾斜面への付着を低減することができる。
【０００９】
また、カバーが分離部よりも給送向きの下流まで延設されているため、異物の分離部への付着を低減することができる。
【００１０】
また、カバーが第１位置から第２位置へ回動されることによって、トレイにシートをセットすることができる。
【発明の効果】
【００１１】
本発明によれば、シートがトレイに支持されているか否かにかかわらず、トレイへの異物の付着を低減することができる。
【図面の簡単な説明】
【００１２】
【図１】図１は、複合機１０の外観斜視図である。
【図２】図２は、カバー１１０がバイパストレイ７１に当接した状態のプリンタ部１１の内部構造を模式的に示す縦断面図である。
【図３】図３は、カバー１１０がバイパストレイ７１から離間した状態のプリンタ部１１の内部構造を模式的に示す縦断面図である。
【図４】図４は、バイパストレイ７１と案内部材９７と給送部７２とカバー１１０とアーム支持部１６０を支持面７４と直交する方向に視た模式平面図である。
【図５】図５は、変形例におけるバイパストレイ７１と案内部材９７と給送部７２とカバー１１０とアーム支持部１６０を模式的に示す縦断面図である。
【図６】図６は、変形例におけるバイパストレイ７１と案内部材９７と給送部７２とカバー１１０とアーム支持部１６０を模式的に示す縦断面図である。
【図７】図７は、変形例におけるバイパストレイ７１と案内部材９７と給送部７２とカバー１１０とアーム支持部１６０を支持面７４と直交する方向に視た模式平面図である。
【図８】図８は、変形例におけるバイパストレイ７１と案内部材９７と給送部７２とカバー１１０とを支持面７４と直交する方向に視た模式平面図である。
【図９】図９は、変形例におけるバイパストレイ７１と案内部材９７と給送部７２とカバー１１０とアーム支持部１６０を模式的に示す縦断面図である。
【図１０】図１０は、変形例におけるバイパストレイ７１と案内部材９７と給送部７２とカバー１１０とアーム支持部１６０を模式的に示す縦断面図である。
【発明を実施するための形態】
【００１３】
以下、本発明の実施形態に係る複合機１０について説明する。なお、以下に説明される実施形態は本発明の一例にすぎず、本発明の要旨を変更しない範囲で、実施形態を適宜変更できることは言うまでもない。また、以下の説明においては、複合機１０が使用可能に設置された状態（図１の状態）を基準として、上下方向７が定義され、バイパストレイ７１が設けられている面を背面（後面８８）として前後方向８が定義され、複合機１０を後面８８と反対の前面８９から視て左右方向９（幅方向の一例）が定義される。上下方向７、前後方向８、及び左右方向９は互いに直交している。
【００１４】
［複合機１０の全体構成］
図１に示されるように、複合機１０は、概ね直方体に形成されている。複合機１０は、インクジェット記録方式で用紙Ｓ（図２参照）などのシートに画像を記録するプリンタ部１１（画像記録装置の一例）と、シートの画像を読み取るスキャナ部１２とを備えている。複合機１０は、ファクシミリ機能及びプリント機能などの各種の機能を有している。なお、プリンタ部１１は、インクジェット記録方式以外、例えば電子写真方式でシートに画像を記録するものであってもよい。
【００１５】
図２に示されるように、プリンタ部１１は、給送トレイ２０、給送部１５、第１搬送ローラ対５９、第２搬送ローラ対１８０、記録部２４、及び給送装置を備えている。給送装置は、内部に搬送路６５が形成された筐体１４（図１参照、本体の一例）、バイパストレイ７１（トレイの一例）、給送部７２、案内部材９７、及びカバー１１０を備えている。
【００１６】
図１に示されるように、バイパストレイ７１は、筐体１４によって、図１に示される起立位置と、図２に示される倒伏位置とに回動可能に支持されている。バイパストレイ７１は、各種サイズの用紙Ｓを支持するものである。
【００１７】
図２に示されるように、給送トレイ２０は、各種サイズの用紙Ｓを収容可能である。給送トレイ２０は、筐体１４の前面８９（図１参照）に形成された開口（不図示）から後方に挿入可能であり且つ前方に脱抜可能である。
【００１８】
給送部１５は、給送トレイ２０から搬送路６５へ用紙Ｓを給送するものである。給送部７２は、バイパストレイ７１から搬送路６５へ用紙Ｓを給送するものである。第１搬送ローラ対５９及び第２搬送ローラ対１８０は、用紙Ｓを搬送路６５に沿って搬送するものである。記録部２４は、搬送路６５を搬送される用紙Ｓに画像を記録するものである。
【００１９】
給送部１５、記録部２４、第１搬送ローラ対５９、及び第２搬送ローラ対１８０などは、筐体１４の内部に配置されている。
【００２０】
図１に示されるように、プリンタ部１１の上方には、スキャナ部１２が設けられている。スキャナ部１２は、フラットベッドスキャナである。なお、フラットベッドスキャナの構造は公知であるので、ここでは詳細な説明が省略される。
【００２１】
［給送トレイ２０］
図２に示される給送トレイ２０は、前後方向８及び左右方向９の長さが上下方向７の長さよりも長く、上面が開放された箱型の形状である。給送トレイ２０の上方には、排出トレイ２１が設けられている。給送トレイ２０は、大小様々なサイズの用紙Ｓを支持面２３で支持することにより、複数枚の用紙Ｓを積層した状態で収容可能である。
【００２２】
筐体１４の下部に、ガイド部３２が配置されている。ガイド部３２は、筐体１４に挿入された状態の給送トレイ２０の後方に位置している。ガイド部３２は、後方へ向かうにしたがって上方へ傾斜した傾斜面３３を備えている。傾斜面３３は、給送ローラ２５によって給送トレイ２０から後方へ送られた用紙Ｓに当接される。これにより、用紙Ｓは、傾斜面３３に沿って搬送路６５へ向けて案内される。
【００２３】
［給送部１５］
図２に示されるように、給送部１５は、給送ローラ２５、給送アーム２６、及び駆動伝達機構２７を備えている。給送部１５は、給送トレイ２０の支持面２３の上方に位置している。給送ローラ２５は、給送アーム２６の先端部に回転可能に軸支されている。給送アーム２６は、基端部に設けられた回動軸２８を中心として、矢印９８、９９の向きに回動可能である。給送アーム２６は、バネなどの付勢部材や自重などによって、矢印９９の向きに付勢されている。これにより、給送ローラ２５は、支持面２３または支持面２３に支持された用紙Ｓに対して接離可能である。
【００２４】
給送ローラ２５には、モータ（不図示）の駆動力が駆動伝達機構２７を通じて伝達される。駆動伝達機構２７は、回動軸２８に伝達された回転を無端ベルトにより給送ローラ２５の軸へ伝達する。給送ローラ２５が、給送トレイ２０の支持面２３に支持された用紙Ｓのうち一番上の用紙Ｓに当接された状態で回転することにより、当該用紙Ｓが搬送路６５へ向けて給送される。なお、駆動伝達機構２７は、無端ベルト以外、例えばギヤ列で構成されていてもよい。
【００２５】
［搬送路６５］
図２に示されるように、筐体１４の内部空間に形成された搬送路６５は、給送トレイ２０の後端部から上方へＵターンするように湾曲して延びた後、前方へほぼ真っ直ぐに延びて排出トレイ２１に至っている。搬送路６５は、Ｕターンする湾曲路６５Ａと、真っ直ぐな直線路６５Ｂとに大別される。
【００２６】
湾曲路６５Ａは、用紙Ｓが通過可能な空間を隔てて対向するガイド部材１８及びガイド部材１９によって構成されている。直線路６５Ｂは、用紙Ｓが通過可能な空間を隔てて対向する記録部２４及びプラテン４２、並びにガイド部材３１及びガイド部材１９によって構成されている。ガイド部材３１は、後述されるバイパス経路１８２を構成する部材でもある。プラテン４２は、用紙Ｓを支持する部材である。
【００２７】
給送ローラ２５によって搬送路６５へ給送された用紙Ｓは、図２において一点鎖線で示される搬送向き１７に沿って、湾曲路６５Ａ及び直線路６５Ｂを搬送される。当該用紙Ｓは、第１搬送ローラ対５９によって記録部２４へ送られて、記録部２４によって画像記録が行われて、第２搬送ローラ対１８０によって排出トレイ２１へ排出される。
【００２８】
ガイド部材１８は、回動部材４３に取り付けられている。回動部材４３は、筐体１４によって、軸４４周りに回動可能に支持されている。軸４４は、左右方向９に延びており、筐体１４の下部に位置している。回動部材４３は、バイパストレイ７１及び案内部材９７より下方に位置している。回動部材４３は、図１に示され且つ図２に実線で示される閉塞位置と、図２に破線で示される開放位置とに回動可能である。
【００２９】
回動部材４３が閉塞位置のとき、ガイド部材１８は湾曲路６５Ａを構成しており、湾曲路６５Ａは外部から閉塞されている。回動部材４３が開放位置のとき、湾曲路６５Ａは外部に露出されている。湾曲路６５Ａに用紙Ｓが詰まった場合に、回動部材４３が開放位置とされることによって、詰まった用紙Ｓの取り出しが容易となる。
【００３０】
回動部材４３は、凹部４５（収容部の一例）を備えている。凹部４５は、回動部材４３が閉塞位置のときの回動部材４３の上面４６から下方へ凹んでいる。回動部材４３が閉塞位置の状態において、凹部４５は、案内部材９７の前端よりも前方から案内部材９７の前端よりも後方に亘って設けられている。本実施形態において、凹部４５は、案内部材９７の一部（前部）の下方に位置している。なお、凹部４５は、案内部材９７の後端より後方にまで亘っていてもよい。つまり、凹部４５は、案内部材９７の全部の下方に位置していてもよい。凹部４５は、上方から落下してきた異物を収容可能である。
【００３１】
［第１搬送ローラ対５９及び第２搬送ローラ対１８０］
図２に示されるように、搬送路６５におけるガイド部材３１よりも搬送向き１７の下流に、第１搬送ローラ対５９が位置している。第１搬送ローラ対５９は、第１搬送ローラ６０とピンチローラ６１とを有する。搬送路６５における第１搬送ローラ対５９よりも搬送向き１７の下流に、第２搬送ローラ対１８０が位置している。第２搬送ローラ対１８０は、第２搬送ローラ６２と拍車６３とを有する。
【００３２】
第１搬送ローラ６０及び第２搬送ローラ６２は、モータ（不図示）の回転が伝達されて回転する。ピンチローラ６１は、バネなどの付勢部材によって第１搬送ローラ６０に付勢されて当接されており、第１搬送ローラ６０の回転に伴って連れ回る。拍車６３は、バネなどの付勢部材によって第２搬送ローラ６２に付勢されて当接されており、第２搬送ローラ６２の回転に伴って連れ回る。第１搬送ローラ対５９及び第２搬送ローラ対１８０は、それぞれを構成する各ローラの間に用紙Ｓを挟持した状態において、第１搬送ローラ６０及び第２搬送ローラ６２が回転することによって、用紙Ｓを搬送路６５に沿って搬送向き１７に搬送する。
【００３３】
［記録部２４］
図２に示されるように、搬送路６５における第１搬送ローラ対５９と第２搬送ローラ対１８０との間に、記録部２４が位置している。記録部２４は、キャリッジ４０と記録ヘッド３９とを備えている。キャリッジ４０は、記録ヘッド３９を挟んで前後方向８に間隔を空けて配置された２つのガイドレール（不図示）によって、図２の紙面に直交する左右方向９に往復動可能に支持されている。２つのガイドレールの一方には、公知のベルト機構が設けられている。ベルト機構は、不図示のモータと連結されている。また、キャリッジ４０は、ベルト機構の無端ベルトと連結されている。モータによって駆動された無端ベルトの回動により、キャリッジ４０は、２つのガイドレールに沿って左右方向９に往復動する。
【００３４】
記録ヘッド３９は、キャリッジ４０に搭載されている。記録ヘッド３９の下面には、複数のノズル３８が形成されている。記録ヘッド３９には、インクカートリッジ（不図示）からインクが供給される。記録ヘッド３９は、複数のノズル３８からインクを微小なインク滴として選択的に吐出する。キャリッジ４０が左右方向９に移動しているときに、ノズル３８から、搬送路６５を搬送される過程においてプラテン４２に支持されている用紙Ｓに対してインク滴が吐出される。吐出されたインク滴が用紙Ｓに付着することにより、用紙Ｓに画像が記録される。
【００３５】
［バイパストレイ７１］
図１及び図２に示されるバイパストレイ７１は、筐体１４によって支持されている。バイパストレイ７１は、図１に示される起立位置と、図２に示される倒伏位置とに回動可能である。
【００３６】
図１に示されるように、起立位置のバイパストレイ７１の外面７３は、上下方向７に沿っている。バイパストレイ７１が起立位置の状態において、外面７３は、筐体１４の後面８８の一部を構成している。起立位置のバイパストレイ７１と、筐体１４との間に、隙間１８４が形成されている。
【００３７】
図２に示されるように、倒伏位置のバイパストレイ７１は、外面７３の裏面である支持面７４に、複数枚の用紙Ｓを積層した状態で支持可能である。支持面７４、左右方向９に沿った面である。バイパストレイ７１が倒伏位置のときの隙間１８４は、バイパストレイ７１が起立位置のときの隙間１８４より大きい。
【００３８】
図４に示されるように、一対のサイドガイド５４が、支持面７４に沿って左右方向９に移動可能にバイパストレイ７１によって支持されている。一対のサイドガイド５４は、支持面７４から突出している。一対のサイドガイド５４は、左右方向９に対向して配置されている。各サイドガイド５４の側面の各々には、支持面７４に支持された用紙Ｓの左右両端が当接する。一対のサイドガイド５４のうちの一方が右方または左方の一方へ移動すると、他方が連動して右方または左方の他方へ移動する。これにより、用紙Ｓは、バイパストレイ７１の左右方向９の中央を基準として位置決めされる。
【００３９】
一対のサイドガイド５４は、図４において実線及び破線で示された内位置と、図４において一点鎖線で示された外位置との間を移動可能である。一対のサイドガイド５４が内位置のときの一対のサイドガイド５４間の左右方向９の距離は、一対のサイドガイド５４が外位置のときの一対のサイドガイド５４間の左右方向９の距離より短い。一対のサイドガイド５４は、内位置のときに互いに最も近づいており、外位置のときに互いに最も離れている。一対のサイドガイド５４の位置は、支持面７４に支持される用紙Ｓのサイズに基づいて決定される。例えば、バイパストレイ７１に支持可能な最小サイズの用紙Ｓがバイパストレイ７１に支持される場合に、一対のサイドガイド５４は、内位置に移動される。
【００４０】
［給送部７２］
図２に示されるように、給送部７２は、筐体１４を構成するフレームの一部であるアーム支持部１６０に支持されている。給送部７２は、バイパストレイ７１の支持面７４と対向して配置されている。
【００４１】
給送部７２は、給送ローラ７５（ローラの一例）、給送アーム７６（アームの一例）、及び駆動伝達機構（不図示）を備えている。給送ローラ７５は、給送アーム７６の先端部に回転可能に支持されている。給送アーム７６の基端部は、アーム支持部１６０によって、左右方向９に延びた回動軸８１（第２軸の一例）周りに矢印６７、６８の方向に回動可能に支持されている。給送アーム７６は、基端部から、後述する給送向き８７へ向かうにしたがって支持面７４へ向かって延びている。給送アーム７６は、バネなどの付勢部材や自重などによって、バイパストレイ７１へ向けて、つまり矢印６７の向きへ付勢されている。これにより、給送ローラ７５は、バイパストレイ７１の支持面７４、または、支持面７４に支持された用紙Ｓに対して接離可能である。
【００４２】
給送ローラ７５には、モータ（不図示）の駆動力が駆動伝達機構を通じて伝達される。駆動伝達機構は、ギヤ列で構成されており、回動軸８１に伝達された回転を給送ローラ７５の軸へ伝達する。給送ローラ７５が、支持面７４に支持された用紙Ｓのうち一番上の用紙Ｓに当接された状態で回転することにより、当該用紙Ｓが給送向き８７に給送される。給送向き８７は、左右方向９と直交しており、後述するバイパス経路１８２に沿った向きである。なお、駆動伝達機構は、ギヤ列以外、例えば無端ベルトで構成されていてもよい。
【００４３】
［バイパス経路１８２］
図２に示されるように、筐体１４の内部に、バイパストレイ７１から第１搬送ローラ対５９へと延びるバイパス経路１８２（給送路の一例）が形成されている。
【００４４】
バイパス経路１８２は、バイパストレイ７１から概ね前方且つ下方に向かって延びる傾斜した経路である。バイパス経路１８２は、ガイド部材３１及びカバー１１０と、ガイド部材１９とによって構成されている。バイパス経路１８２は、搬送路６５より上方に形成されている。
【００４５】
バイパストレイ７１に支持された用紙Ｓは、給送ローラ７５によって給送向き８７に給送されることによって、バイパス経路１８２に至る。当該用紙Ｓは、バイパス経路１８２に沿って給送向き８７へ案内されて、搬送路６５に至る。当該用紙Ｓは、第１搬送ローラ対５９によって直線路６５Ｂを搬送される。当該用紙Ｓは、記録部２４によって画像記録が行われて、第２搬送ローラ対１８０によって搬送されて排出トレイ２１へ排出される。
【００４６】
［案内部材９７］
図２に示されるように、案内部材９７は、給送ローラ７５よりも給送向き８７の下流に位置している。案内部材９７は、バイパストレイ７１より下方に位置している。案内部材９７の上面９６（傾斜面の一例）は、バイパストレイ７１の支持面７４の給送向き８７の端部（支持面７４の下端部）から概ね前方に延びている。上面９６は、支持面７４に対して傾斜している。換言すると、支持面７４は、案内部材９７から斜め上方へ延びている。上面９６は、隙間１８４を通じて複合機１０の外部に露出しており且つ概ね上方を向いている。上面９６には、支持面７４に支持された用紙Ｓの先端（下端）が当接する。
【００４７】
上面９６には、分離部９２が形成されている。分離部９２は、上面９６の左右方向９の中央部から突出している。分離部９２は、左右方向９において、内位置の一対のサイドガイド５４の間に位置している。分離部９２は、給送向き８７に沿って間隔を空けて並んだ複数の歯で構成されている。複数の歯に、支持面７４に支持された複数枚の用紙Ｓの先端が当接する。この状態で、支持面７４に支持された複数枚の用紙Ｓが給送ローラ７５によって給送向き８７に給送された場合、分離部９２は、複数枚の用紙Ｓのうち給送ローラ７５と当接している最上位置の用紙Ｓ（最も支持面７４から離れた用紙Ｓ）を、他の用紙Ｓから分離する。これにより、最上位置の用紙Ｓのみが、上面９６に当接して案内され、バイパス経路１８２へ給送される。
【００４８】
［カバー１１０］
図２に示されるように、カバー１１０は、バイパストレイ７１及び案内部材９７と、アーム支持部１６０及びガイド部材３１との間に位置している。カバー１１０は、バイパストレイ７１及び案内部材９７と対向している。カバー１１０は、案内部材９７の上方に位置している。
【００４９】
図４に示されるように、カバー１１０は、概ね左右方向９及び給送向き８７に拡がった板状の部材である。カバー１１０は、左右方向９において、内位置の一対のサイドガイド５４の間に位置している。
【００５０】
図２及び図４に示されるように、カバー１１０は、給送向き８７において、給送ローラ７５よりも給送向き８７の上流端部１１０Ａ（当接部の一例）から、分離部９２よりも給送向き８７の下流端部１１０Ｂに亘って延設されている。本実施形態において、上流端部１１０Ａは、バイパストレイ７１の給送向き８７の上流端７１Ａよりも給送向き８７の下流であって、後述する軸７７よりも給送向き８７の上流の位置である。
【００５１】
カバー１１０が上述した範囲に亘って拡がっていることにより、カバー１１０は、左右方向９における内位置の一対のサイドガイド５４の間であって、上流端部１１０Ａよりも給送向き８７の下流の範囲において、支持面７４を覆っている。また、カバー１１０が上述した範囲に亘って拡がっていることにより、カバー１１０は、左右方向９における内位置の一対のサイドガイド５４の間の範囲において、上方から案内部材９７を覆っている。つまり、カバー１１０は、一対のサイドガイド５４の間に位置する分離部９２を覆っている。
【００５２】
図４に示されるように、カバー１１０には、開口１１６が形成されている。開口１１６が形成された部分には、給送部７２が位置している。これにより、給送部７２とカバー１１０との干渉が回避されている。
【００５３】
図２に示されるように、下流端部１１０Ｂは、凹部４５の真上に位置している。下流端部１１０Ｂは、前後方向８において凹部４５の前端及び後端の間に位置している。また、下流端部１１０Ｂは、左右方向９において凹部４５の右端及び左端の間に位置している。よって、本実施形態では、上方から視て、カバー１１０の給送向き８７の下流端部１１０Ｂの全てが、凹部４５と重複している。
【００５４】
なお、上方から視て、下流端部１１０Ｂの一部が、凹部４５と重複していてもよい。例えば、凹部４５の左右方向９の長さが、カバー１１０の左右方向９の長さより短くてもよい。この場合、下流端部１１０Ｂの左右両端部は、凹部４５より右方及び左方に位置するため、上方から視て下流端部１１０Ｂの一部のみが凹部４５と重複する。
【００５５】
カバー１１０は、給送アーム７６によって回動可能に軸支されている。カバー１１０は、給送アーム７６に設けられた左右方向９に延びた軸７７（第１軸の一例）周りに矢印１１１、１１２の方向に回動可能である。なお、左右方向９は、給送向き８７と交差し（本実施形態では給送向き８７と直交し）且つ支持面７４に沿った方向である。カバー１１０は、図２に実線で示される第１位置と、図２に破線で示される第２位置と、図３に示される位置とに、軸７７周りに回動可能である。
【００５６】
軸７７には、ねじりコイルばね１１３（付勢部材の一例）が取り付けられている。ねじりコイルばね１１３の一端は給送アーム７６に接続されており、ねじりコイルばね１１３の他端はカバー１１０に接続されている。ねじりコイルばね１１３は、カバー１１０を第１位置へ向けて、つまりカバー１１０を矢印１１１の向きへ付勢している。
【００５７】
なお、カバー１１０を第１位置へ向けて付勢するのは、ねじりコイルばね１１３に限らず、例えば板ばねなどであってもよい。また、給送装置は、付勢部材を備えていなくてもよい。この場合、カバー１１０は、自重によって第１位置へ付勢されている。
【００５８】
図２に示されるように、カバー１１０が第１位置の状態において、上流端部１１０Ａが支持面７４と当接している。これにより、カバー１１０が第１位置の状態において、隙間１８４を介してバイパストレイ７１及びアーム支持部１６０の間に進入した砂塵などの異物は、カバー１１０に阻まれて、支持面７４のうち上流端部１１０Ａよりも給送向き８７の下流にある部分及び案内部材９７に到達しない。
【００５９】
なお、支持面７４に用紙Ｓが支持されている場合、カバー１１０は第１位置よりも第２位置側（図３に示された位置側）に位置するが、カバー１１０は第１位置へ向けて付勢されているために、カバー１１０は、支持面７４に支持された用紙Ｓと当接する。
【００６０】
図２に破線で示されるように、第２位置のカバー１１０は、支持面７４から離間している。
【００６１】
図４に示されるように、カバー１１０は、下流端部１１０Ｂから右方及び左方へ突出する凸部１１５を備えている。
【００６２】
また、図２及び図４に示されるように、カバー１１０（詳細には凸部１１５）の下方には、ストッパ１１４が設けられている。ストッパ１１４は、第２位置のカバー１１０の凸部１１５に下方から当接して、第２位置のカバー１１０が軸７７周りに矢印１１２の向きへ回動すること（換言すると第２位置のカバー１１０が軸７７周りに第１位置から遠ざかる向きへ回動すること）を規制する。ストッパ１１４は、用紙Ｓの給送を阻むことがない位置に設けられている。本実施形態において、ストッパ１１４は、図４に示されるように、バイパストレイ７１より右方及び左方（用紙Ｓより右方及び左方となる位置）に位置している。
【００６３】
以下、用紙Ｓがセットされていないバイパストレイ７１に用紙Ｓがセットされる過程（換言すると、用紙Ｓが支持面７４に支持される過程）が、図２及び図３が参照されつつ説明される。
【００６４】
最初に、第１位置へ向けて付勢されたカバー１１０の給送向き８７の上流端部１１０Ａが、ユーザによって把持されて持ち上げられる。これにより、カバー１１０は矢印１１２の向きへ回動する。つまり、カバー１１０は、図２に実線で示される第１位置から図２に破線で示される第２位置に回動する。カバー１１０が第２位置に到達すると、凸部１１５（図４参照）がストッパ１１４に上方から当接して、第２位置のカバー１１０の矢印１１２の向きへの回動は規制される。
【００６５】
凸部１１５がストッパ１１４に当接した状態において、ユーザが更にカバー１１０を持ち上げると、カバー１１０は２箇所のストッパ１１４及び凸部１１５の当接位置を結んだ左右方向９に延びる軸線周りに、図２に示される反時計回りに回動する。このとき、カバー１１０を軸支している給送アーム７６も、カバー１１０の当該軸線周りの回動に連動して、回動軸８１周りに矢印６８の向きへ回動する。これにより、カバー１１０及び給送部７２の双方が持ち上げられて、図３に示される状態となる。
【００６６】
図３に示される状態では、カバー１１０と支持面７４との間隔が大きくなるため、用紙Ｓのバイパストレイ７１へのセット（用紙Ｓの支持面７４への支持）が容易である。また、図３に示される状態では、給送ローラ７５が支持面７４から離れているため、用紙Ｓのバイパストレイ７１へのセット（用紙Ｓの支持面７４への支持）が容易である。
【００６７】
［実施形態の効果］
本実施形態によれば、用紙Ｓがバイパストレイ７１に支持されているか否かにかかわらず、バイパストレイ７１が第１位置へ向けて回動されることによって、異物の支持面７４や上面９６への付着を低減することができる。
【００６８】
また、カバー１１０が分離部９２よりも給送向き８７の下流まで延設されているため、異物の分離部９２への付着を低減することができる。
【００６９】
また、カバー１１０が第１位置から第２位置へ回動されることによって、バイパストレイ７１に用紙Ｓをセットすることができる。
【００７０】
また、本実施形態によれば、ねじりコイルばね１１３によって、カバー１１０の上流端部１１０Ａを確実にバイパストレイ７１に当接させることができる。
【００７１】
また、用紙Ｓがバイパストレイ７１にセットされるとき、最初に、カバー１１０が第１位置から第２位置へ向けて軸７７周りに回動される。カバー１１０が第２位置に到達すると、ストッパ１１４によってカバー１１０の軸７７周りの回動は規制される。しかし、カバー１１０は、ストッパ１１４との当接位置を中心として回動可能である。当接位置を中心としてカバー１１０が回動されると、軸７７を介してカバー１１０と連結されている給送アーム７６が連動して回動軸８１周りに回動する。これにより、給送ローラ７５が支持面７４から離間するように移動する。その結果、用紙Ｓのバイパストレイ７１へのセットが給送ローラ７５によって阻害されることが防止可能である。
【００７２】
また、仮に、分離部９２へ異物が付着すると、給送ローラ７５によって給送される用紙Ｓのうち最上の用紙Ｓを他の用紙Ｓから分離することが困難となるおそれがある。本実施形態によれば、分離部９２及びカバー１１０の双方が、左右方向９において一対のサイドガイド５４の間に位置しているため、異物の分離部９２への付着をカバー１１０によって低減することができる。
【００７３】
また、用紙Ｓがバイパストレイ７１に支持されていない場合、第１位置のカバー１１０の上流端部１１０Ａが支持面７４に当接することによって、異物の支持面７４や上面９６への付着を低減することができる。また、用紙Ｓがバイパストレイ７１に支持されている場合、第１位置のカバー１１０の上流端部１１０Ａが支持面７４に支持された用紙Ｓに当接することによって、異物の支持面７４や上面９６への付着を低減することができる。
【００７４】
また、本実施形態によれば、異物は、重力によって、給送装置の上方から分離部９２へ向かう。しかし、本実施形態では、カバー１１０によって異物の分離部９２への付着を低減することができる。
【００７５】
また、本実施形態によれば、カバー１１０に付着した異物がカバー１１０の給送向き８７の下流端から落下した場合に、落下した異物を凹部４５に収容することができる。
【００７６】
［変形例］
図５及び図６に示されるように、カバー１１０は、支持面７４と当接する部分から給送向き８７の上流へ突出した突出部１２１を備えていてもよい。突出部１２１の給送向き８７の上流端は、バイパストレイ７１の給送向き８７の上流端７１Ａよりも給送向き８７の上流に位置する。
【００７７】
例えば、図５に示されるように、突出部１２１は、カバー１１０における支持面７４と当接する当接部１１０Ｃから概ね上方へ延びている。つまり、突出部１２１は、当接部１１０Ｃから支持面７４とは異なる方向へ延びている。これにより、突出部１２１は、支持面７４から離間するため、突出部１２１の把持が容易となる。図５において、カバー１１０は、当接部１１０Ｃを境界として屈曲している。また、図５において、カバー１１０は、当接部１１０Ｃにおいて支持面７４と当接している。
【００７８】
また、例えば、図６に示されるような構成であってもよい。この場合、カバー１１０は、バイパストレイ７１の支持面７４以外の部分と当接している。詳細には、カバー１１０は、バイパストレイ７１の給送向き８７の上流端７１Ａ（バイパストレイ７１の支持面７４より給送向き８７の上流に位置する部分）と当接している。つまり、カバー１１０が当接するのは、バイパストレイ７１の支持面７４に限らず、バイパストレイ７１の支持面７４以外の部分と当接していてもよい。図６の場合、カバー１１０のうち、上流端７１Ａと当接している部分が、当接部１１０Ｄである。
【００７９】
図６では、突出部１２１は、図５の構成とは異なり、当接部１１０Ｄから屈曲することなく、真っ直ぐ延びている。図６に示される構成では、突出部１２１は、支持面７４よりも上方に位置する。そのため、突出部１２１の把持が容易となる。
【００８０】
図５及び図６に示される変形例によれば、カバー１１０がバイパストレイ７１から給送向き８７の上流へ突出している。そのため、カバー１１０を把持して回動させることが容易である。
【００８１】
図６に示される変形例によれば、支持面７４より給送向き８７の上流において、当接部１１０Ｄがバイパストレイ７１と当接する。そのため、支持面７４の全体に対して異物の付着を低減することができる。
【００８２】
図６に示されるように、カバー１１０は、コロ１２０を備えていてもよい。コロ１２０は、カバー１１０によって、左右方向９に延びる軸（不図示）周りに回転可能に支持されている。コロ１２０は、カバー１１０の給送向き８７の下流端部１１０Ｂ（好ましくは、案内部材９７よりも給送向き８７の下流）に設けられている。コロ１２０の一部は、カバー１１０から案内部材９７の側へ、つまりバイパス経路１８２の側へ突出している。これにより、コロ１２０は、給送ローラ７５によって給送向き８７に給送される用紙Ｓに当接可能である。なお、図６には、コロ１２０は１つのみ描かれているが、コロ１２０の数は１つに限らない。例えば、コロ１２０は、左右方向９に間隔を空けて複数配置されていてもよいし、給送向き８７に間隔を空けて複数列配置されていてもよい。
【００８３】
コロ１２０を備えた変形例によれば、コロ１２０によって、用紙Ｓを円滑に給送することができる。
【００８４】
上記実施形態では、カバー１１０は、図４に示される範囲に亘って配置されていた。しかし、カバー１１０が配置される範囲はこれに限らない。
【００８５】
例えば、図７に示されるように、カバー１１０は、一対のサイドガイド５４よりも給送向き８７の下流に配置されていてもよい。この場合、カバー１１０の左右方向９の配置範囲が、一対のサイドガイド５４によって制限されることはない。そのため、図７では、カバー１１０は、一対のサイドガイド５４よりも右方及び左方に亘って配置されている。
【００８６】
図７に示される変形例によれば、カバー１１０が一対のサイドガイド５４よりも給送向き８７の下流に位置するため、支持面７４における左右方向９の全域に亘ってカバー１１０を配置することができる。
【００８７】
また、例えば、図８に示されるように、カバー１１０は、下流部１１７と上流部１１８とを備えていてもよい。下流部１１７は、一対のサイドガイド５４よりも給送向き８７の下流に位置している。下流部１１７は、図７に示される構成と同様に、一対のサイドガイド５４よりも右方及び左方に亘って配置されている。上流部１１８は、下流部１１７から給送向き８７の上流へ延びている。上流部１１８は、左右方向９において一対のサイドガイド５４の間に位置している。
【００８８】
図８に示される構成では、図９に示されるように、下流部１１７及び上流部１１８の各々が、支持面７４と当接している。下流部１１７は、概ね後方へ突出する凸板１１９を備えている。カバー１１０が第１位置のときに、凸板１１９の先端である当接部１１９Ａが、支持面７４に当接する。また、上流部１１８のうち、カバー１１０の給送向き８７の上流端部１１０Ａ近くに位置する当接部１１８Ａが、バイパストレイ７１の給送向き８７の上流端７１Ａに当接する。つまり、図８及び図９に示される構成では、下流部１１７及び上流部１１８の各々が、当接部を備えている。
【００８９】
図８及び図９に示される変形例によれば、支持面７４における左右方向９の全域に亘って下流部１１７を配置することができるとともに、支持面７４における下流部１１７よりも給送向き８７の上流に上流部１１８を配置することができる。つまり、一対のサイドガイド５４の移動範囲を避けつつも、多くの領域にカバー１１０を配置することができる。そして、前記のように上流部１１８及び下流部１１７が配置された場合であっても、上流部１１８及び下流部１１７の各々に設けられた当接部によって、異物の進入を低減することができる。
【００９０】
上記実施形態では、図４、図７、及び図８に示されるように、カバー１１０は支持面７４の一部を覆っていたが、カバー１１０は支持面７４の全部を覆っていてもよい。
【００９１】
上記実施形態では、カバー１１０は、給送アーム７６によって支持されていた。しかし、カバー１１０は、給送アーム７６以外、例えばアーム支持部１６０によって支持されていてもよい。この場合、カバー１１０と給送部７２とは連動しない。
【００９２】
例えば、図１０に示されるように、カバー１１０は、左右方向９に延びた軸７８（第１軸の一例）周りに回動可能に支持されていてもよい。軸７８は、給送アーム７６よりも給送向き７８の下流に位置している。また、図１０に示される構成では、ストッパ１１４の代わりに、給送アーム７６にストッパ７９が設けられている。ストッパ７９は、給送アーム７６から左右方向９に突出している。ストッパ７９は、カバー１１０と給送アーム７６の回動軸８１との間に設けられている。
【００９３】
以下、図１０に示される構成において、用紙Ｓがセットされていないバイパストレイ７１に用紙Ｓがセットされる過程（換言すると、用紙Ｓが支持面７４に支持される過程）が説明される。
【００９４】
最初に、第１位置へ向けて付勢されたカバー１１０の給送向き８７の上流端部１１０Ａが、ユーザによって把持されて持ち上げられる。これにより、カバー１１０は軸７８周りに矢印１２２の向きへ回動する。つまり、カバー１１０は、図１０に実線で示される第１位置から図１０に破線で示される第２位置に回動する。カバー１１０は、第２位置に到達すると、ストッパ７９に下方から当接する。これにより、第２位置のカバー１１０の矢印１１２の向きへの回動（第２位置のカバー１１０が第１位置から遠ざかる向きへの回動）は規制される。
【００９５】
カバー１１０がストッパ７９に当接した状態において、ユーザが更にカバー１１０を持ち上げるべく力を加えると、カバー１１０には、矢印１２２の向きへの力が作用する。これにより、カバー１１０は、矢印１２２の向きに回動して、下方から給送アーム７６を押す。これにより、給送アーム７６は軸８１周りに矢印６８の向きに回動して、カバー１１０及び給送部７２の双方が持ち上げられた状態となる。当該状態では、カバー１１０と支持面７４との間隔が大きくなるため、用紙Ｓのバイパストレイ７１へのセット（用紙Ｓの支持面７４への支持）が容易である。また、当該状態では、給送ローラ７５が支持面７４から離れているため、用紙Ｓのバイパストレイ７１へのセット（用紙Ｓの支持面７４への支持）が容易である。
【００９６】
上記実施形態や上記変形例では、ストッパ１１４、７９が設けられていたが、ストッパ１１４、７９は設けられていなくてもよい。
【００９７】
上記実施形態では、給送装置は、バイパストレイ７１、給送部７２、及び案内部材９７を備えていた。つまり、給送装置は、複合機１０の後面に据え付けられたトレイを備えていた。しかし、給送装置は、バイパストレイ７１以外のトレイを備えていてもよい。例えば、給送装置は、複合機１０に対して挿入及び脱抜可能なトレイを備えていてもよい。具体的には、給送装置は、給送トレイ２０、給送部１５、及びガイド部３２を備えていてもよい。この場合、給送トレイ２０が上記実施形態におけるバイパストレイ７１に相当し、給送部１５が上記実施形態における給送部７２に相当し、ガイド部３２が上記実施形態における案内部材９７に相当する。また、ガイド部３２には、分離部９２と同様の構成を有する分離片が形成されている。また、この場合、カバー１１０は、給送トレイ２０の支持面２３の少なくとも一部、及びガイド部３２に設けられた分離片を、上方から覆う。
【符号の説明】
【００９８】
１４・・・筐体（本体）
６５・・・搬送路
７１・・・バイパストレイ（トレイ）
７４・・・支持面
７５・・・給送ローラ（ローラ）
７７・・・軸（第１軸）
８７・・・給送向き
９２・・・分離部
９６・・・上面（傾斜面）
９７・・・案内部材
１１０・・・カバー
１１０Ａ・・・上流端部（当接部）
【図１】
2020083647.tif 000003
【図２】
2020083647.tif 000004
【図３】
2020083647.tif 000005
【図４】
2020083647.tif 000006
【図５】
2020083647.tif 000007
【図６】
2020083647.tif 000008
【図７】
2020083647.tif 000009
【図８】
2020083647.tif 000010
【図９】
2020083647.tif 000011
【図１０】
2020083647.tif 000012